(57)【要約】【課題】本開示は、操作部に対する操作および端子等の接続部へのケーブル類の接続が容易であり、接続部に接続されたケーブル類の破損を抑制するモニタ装置を提供する。【解決手段】本開示のモニタ装置は、表示面を有する表示部と、表示部の下部に配置され、表示面と略平行な操作面を有する操作部と、操作部と左右方向に並んで配置され、表示面に対して下方向に傾斜する接続面を有する接続部と、操作面と接続面とを繋ぐ面切替部と、を備える。表示面の法線と接続面の法線とは鋭角をなす。【選択図】図１
2017185203.tif 000002
【特許請求の範囲】
【請求項１】
表示面を有する表示部と、
前記表示部の下部に配置され、前記表示面と略平行な操作面を有する操作部と、
前記操作部と左右方向に並んで配置され、前記表示面に対して下方向に傾斜する接続面を有する接続部と、
前記操作面と前記接続面とを繋ぐ面切替部と、を備え、
前記表示面の法線と前記接続面の法線とは鋭角をなす、モニタ装置。
【請求項２】
前記面切替部を複数有する、
請求項１に記載のモニタ装置。
【請求項３】
前記操作部の背面側に切欠きを有する、
請求項１又は２に記載のモニタ装置。
【請求項４】
前記接続部は前記操作部の両側に位置する、
請求項１〜３のいずれかに記載のモニタ装置。
【請求項５】
前記操作部は前記接続部の両側に位置する、
請求項１〜３のいずれかに記載のモニタ装置。
【発明の詳細な説明】
【技術分野】
【０００１】
本開示は、モニタ装置に関する。
【背景技術】
【０００２】
従来の、航空機等の座席の背面に配置されるモニタ装置は、表示面に平行な面、もしくは、表示面に対してある角度を持った面に操作部を有する形状をしていた。ただ、従来のモニタ装置では、ユニバーサルシリアルバス（ＵＳＢ）やオーディオジャック等のインターフェース（端子）を、表示面に平行な面に有しており、そのインターフェースに外部機器のケーブルが接続されている場合、乗客がその座席を横切る際に、突出したケーブルに接触することにより、モニタ装置のインターフェースやケーブルを破損する恐れがあった。また、角度を持った面に操作部を有する場合、乗客が操作しにくいという問題があった。
【０００３】
特許文献１は、ポートパネル領域とフェースパネルとが、所定のパネル角をなすシステムコンポーネントを開示する。
【先行技術文献】
【特許文献】
【０００４】
【特許文献１】国際公開第２０１１／０４１７６０号
【発明の概要】
【発明が解決しようとする課題】
【０００５】
本開示は、操作部に対する操作および端子等の接続部へのケーブル類の接続が容易であり、接続部に接続されたケーブル類の破損を抑制するモニタ装置を提供する。
【課題を解決するための手段】
【０００６】
本開示のモニタ装置は、表示面を有する表示部と、表示部の下部に配置され、表示面と略平行な操作面を有する操作部と、操作部と左右方向に並んで配置され、表示面に対して下方向に傾斜する接続面を有する接続部と、操作面と接続面とを繋ぐ面切替部と、を備える。表示面の法線と接続面の法線とは鋭角をなす。
【発明の効果】
【０００７】
本開示のモニタ装置は、操作部に対する操作および接続部へのケーブル類の接続が容易であり、接続部に接続されたケーブル類の破損を抑制することができる。
【図面の簡単な説明】
【０００８】
【図１】実施の形態１に係るモニタ装置の正面斜視図
【図２】図１に示すモニタ装置にケーブル類が接続された状態を示す模式図
【図３】図１のＡ部に示す面切替部を左下方から見た拡大図
【図４】実施の形態１に係るモニタ装置の背面斜視図
【図５Ａ】実施の形態１に係るモニタ装置がシートの背もたれの背面に設置された状態を示す図
【図５Ｂ】図５Ａの５Ｂ−５Ｂ線における断面図
【図５Ｃ】図５Ａの５Ｃ−５Ｃ線における断面図
【図６Ａ】実施の形態２に係るモニタ装置がシートの背もたれの背面に設置された状態を示す図
【図６Ｂ】図６Ａの６Ｂ−６Ｂ線における断面図
【図６Ｃ】図６Ａの６Ｃ−６Ｃ線における断面図
【図７】実施の形態３に係るモニタ装置の模式図
【発明を実施するための形態】
【０００９】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。
【００１１】
（実施の形態１）
図１は、実施の形態１に係るモニタ装置１０の正面斜視図であり、図２は、図１に示すモニタ装置１０にケーブル類１０７が接続された状態を示す模式図である。モニタ装置１０は、航空機等の座席（シート）の背もたれの背面側に設置され、背もたれの背面側に設けられた凹部に埋め込まれる状態で設置される。以下、図１、２に示すＸＹＺ直交座標系を用い、＋Ｘ方向を左と、−Ｘ方向を右と、＋Ｙ方向を上と、−Ｙ方向を下と、＋Ｚ方向を前と、−Ｚ方向を後と、それぞれ称して説明する。
【００１２】
モニタ装置１０は、図１に示すように、表示部１０４、操作部１０１および接続部１０２を有する。表示部１０４は矩形形状を有し、前面にＸＹ平面に平行な表示面１０４ａを有する。表示部１０４は、公知の液晶ディスプレイや有機ＥＬディスプレイで構成されるモニタおよびモニタの枠（ベゼル）を含む。表示部１０４の下部には操作部１０１および接続部１０２が左右方向に並んで配置される。モニタ装置１０では、操作部１０１は、表示部１０４の下部の右寄りに配置され、接続部１０２は操作部１０１の左右両側に配置される。
【００１３】
操作部１０１は、図１に示すように、前方に操作面１０１ａと電源ボタンやアテンダントコールボタンなどのユーザが操作するための押しボタン１０３を有する。操作部１０１の操作面１０１ａは、面切替部１０６を介して、接続部１０２と繋がっている。操作面１０１ａは、表示部１０４の表示面１０４ａと実質的に平行な面で構成されている。
【００１４】
接続部１０２は、図１に示すように、接続面１０２ａと外部機器のケーブル類１０７（図２参照）が接続されるジャック類１０５を有する。モニタ装置１０では、操作部１０１の左側に位置する接続部１０２にジャック類１０５が配置される。なお、操作部１０１の右側に位置する接続部１０２を形成することなく、操作部１０１が表示部１０４の右側端面まで延在してもよい。
【００１５】
接続部１０２の接続面１０２ａは、図１、２に示すように、表示部１０４の表示面１０４ａ（即ち、操作部１０１の操作面１０１ａ）に対して傾斜角θ１（鋭角）をもって、前方から下方に傾斜している。具体的には、接続部１０２は、モニタ装置１０の通常の使用状態（表示面１０４ａがほぼ上下方向の状態）において、接続面１０２ａの法線が前方斜め下向きになるように構成されている。モニタ装置１０では、操作面１０１ａと接続面１０２ａ（表示面１０４ａ）とのなす角（傾斜角θ１）が約４５°となるように構成される。即ち、接続面１０２ａは、Ｙ＝Ｚで定義される平面と実質的に平行である。傾斜角θ１は、後述する効果を奏するためには１５°〜７５°の範囲で形成することが望ましく、より望ましくは３０°〜６０°の範囲で形成する必要がある。
【００１６】
この接続面１０２ａにジャック類１０５を配置することにより、図２に示すように、ジャック類１０５に挿入されたケーブル類１０７のプラグが下方向を向く。このようにすることで、モニタ装置１０の前を人が横切ったりする場合に、ジャック類１０５に接続されたケーブル類１０７に人が引っ掛かることによるケーブル類１０７のプラグやジャック類１０５の破損を防ぐことができる。また、通常の使用状態では、操作面１０１ａはほぼ鉛直方向に設定されているので、ユーザによる押しボタン１０３に対する操作およびジャック類１０５に対するケーブル類１０７のプラグの挿抜のしやすさと、ジャック類１０５およびケーブル類１０７の破損防止とを同時に成り立たせることができる。
【００１７】
面切替部１０６は、図１、２に示すように、モニタ装置１０の下部中央付近に設置される。このように配置することにより、操作面１０１ａおよび接続面１０２ａの背面側に電子回路基板などを配置するための内部空間（後述する）を、モニタ装置１０の筐体内に確保しつつ、筐体の強度を高めることができる。さらに、モニタ装置１０は、操作部１０１の両側に接続部１０２が配置されることにより、２つの面切替部１０６を有するので、モニタ装置１０の筐体の強度をより高めることができる。このことは、モニタ装置１０の前を人が横切ることが多い航空機内のシートの背面に配置されるシート用モニタ装置においては、非常に効果的である。
【００１８】
図３は、図１のＡ部に示す面切替部１０６を斜め下方向から見たときの拡大図である。面切替部１０６は、図３に示すように、平面で構成される。面切替部１０６と接続面１０２ａとのなす角θ２は、約１３５°（鈍角）で構成されている。即ち、面切替部１０６を構成する面の法線は、接続面１０２ａの法線に対して、約４５°の角度を有し、ＹＺ平面と平行な面から＋Ｘ方向に約４５度傾斜している。そのため、モニタ装置１０を正面から見たときに、面切替部１０６を視認することができる。これは、モニタ装置１０の前を人が横切るときに、操作部１０１に引っ掛かりにくくするために効果的であるが、面切替部１０６を接続面１０２ａに対して垂直（ＹＺ平面と平行）な面として形成することもできる。また、面切替部１０６と、接続面１０２ａおよび操作面１０１ａとの繋ぎ部分は、Ｒ形状や面取り形状で形成してもよい。
【００１９】
また、図３に示すように、接続部１０２の接続面１０２ａの上辺と操作部１０１の操作面１０１ａの左辺とのなす角θ３は、約１２０°（鈍角）で構成されている。即ち、接続面１０２ａの上辺と操作面１０１ａの左辺とはＸＹ平面上に位置し、接続面１０２ａの上辺はＸと平行であり、操作面１０１ａの左辺は直線（Ｙ＝−√３Ｘ）と平行である。これは、モニタ装置１０の前を人が横切るときに、操作部１０１に引っ掛かりにくくするために効果的であるが、角θ３を約９０°（直角）に形成することもできる。また、表示面１０４ａの下辺と面切替部１０６の繋ぎ部分は、Ｒ形状や面取り形状で形成してもよい。
【００２０】
面切替部１０６の操作面１０１ａ側の辺は、表示部１０４の下辺と鈍角をなしている。
【００２１】
また、面切替部１０６は平面ではなく、曲面に形成してもよい。なお、操作部１０１の両側に位置する２つ面切替部１０６は互いに面対称の形状を有する。
【００２２】
図４は、実施の形態１に係るモニタ装置１０の背面斜視図である。モニタ装置１０は、図４に示すように、表示部１０４の背面部を覆いモニタ装置１０の筐体としてのフレーム１１１と、フレーム１１１の中央部を覆うカバー１１２とを有し、カバー１１２の上部のフレーム１１１との境界部に、外部から映像信号を入力するためのコネクタ１１３を有する。
【００２３】
フレーム１１１は、図４に示すように、上部に凹部１１４と、中央部に基板収納部１１５と、下部に凸部１１６を有する。凹部１１４はモニタ装置１０を単体で持ち運ぶ場合の取っ手の役割を有する。基板収納部１１５は、コネクタ１１３を備えた電子回路基板が収納される部分であり、カバー１１２によって覆われる。凸部１１６は、操作部１０１の押しボタン１０３および接続部１０２のジャック類１０５を動作させる電子回路基板１２３、１２５（図５Ｂおよび図５Ｃ参照）を収納するための内部空間である。
【００２４】
図５Ａは実施の形態１に係るモニタ装置１０がシートの背もたれの背面２０１に設置された状態を示す図、図５Ｂは図５Ａの５Ｂ−５Ｂ断面図、図５Ｃは図５Ａの５Ｃ−５Ｃ断面図である。
【００２５】
接続部１０２の接続面１０２ａは、図５Ｂに示すように、表示部１０４の表示面１０４ａと傾斜角θ１をなし、接続面１０２ａが下方向を向くように傾斜している。また、操作部１０１の操作面１０１ａは、図５Ｃに示すように、表示部１０４の表示面１０４ａと実質的に同一平面上に位置するように形成される。但し、上述のように、操作面１０１ａは、表示面１０４ａと同一平面上に位置しなくても、実質的に平行な面で形成されてもよい。
【００２６】
また、接続部１０２の接続面１０２ａおよび操作部１０１の操作面１０１ａは、それぞれ図５Ｂおよび図５Ｃに示すように、フレーム１１１と一体的に構成される。
【００２７】
また、接続部１０２に対応するフレーム１１１の凸部１１６の内部には、図５Ｂに示すように、接続面１０２ａの側から順に、電子回路基板１２５および緩衝材１３５が配置される。電子回路基板１２５にはジャック類１０５が電気的および機械的に接続され、電子回路基板１２５はモニタ装置１０の内部に配置される制御基板（不図示）と接続される。緩衝材１３５は電子回路基板１２５の背面側に配置され、電子回路基板１２５とフレーム１１１の間に介在する。緩衝材１３５は、発泡材、ゴムなどで構成され、人がモニタ装置１０に接触した場合に電子回路基板１２３が破損することを防止する役割を有する。ここで、緩衝材１３５の背面が接触する部分に対応するフレーム１１１の面は、接続面１０２ａと略平行に形成されている。
【００２８】
また、操作部１０１の位置に対応するフレーム１１１の凸部１１６の内部には、図５Ｃに示すように、操作面１０１ａの側から順に、電子回路基板１２３、緩衝材１３３およびリブ１１７が配置される。電子回路基板１２３には押しボタン１０３が電気的および機械的に接続され、電子回路基板１２３はモニタ装置１０の内部に配置される制御基板（不図示）と接続される。緩衝材１３３は電子回路基板１２３の背面側に配置され、電子回路基板１２５とリブ１１７の間に介在する。緩衝材１３３は発泡材、ゴムなどで構成され、人がモニタ装置１０に接触した場合に電子回路基板１２３が破損することを防止する役割を有する。リブ１１７は、フレーム１１１から緩衝材１３３に向かって操作面１０１ａに対して略垂直方向に形成され、緩衝材１３３を介して電子回路基板１２３を保持する役割を有する。
【００２９】
また、モニタ装置１０が設置されるシートの背もたれの背面２０１において、接続部１０２に対応する部分には、図５Ａおよび図５Ｂに示すように、傾斜部２０２が形成されている。傾斜部２０２のモニタ装置１０側の位置と接続面１０２ａの傾斜部２０２側の位置とは、モニタ装置１０の前後方向において、ほぼ等しい。即ち、接続面１０２ａの下端と傾斜部２０２の上端との前後方向における表示面１０４ａからの距離がほぼ等しい。このように、モニタ装置１０が航空機等のシートの背もたれの背面２０１に設置される場合、背もたれの背面２０１の接続部１０２に対応する部分に傾斜部２０２を設けることにより、ジャック類１０５に対するケーブル類１０７のプラグの挿抜が容易になる。また、デザイン上、シートの背もたれの背面２０１とモニタ装置１０との一体感が奏される。
【００３０】
以上のように、モニタ装置１０は、フレーム１１１の前面側の形状を、用途に合わせた角度を有する形状に構成される。具体的には、モニタ装置１０は、表示部１０４の下部のうち一部の領域に表示面１０４ａに略平行な第１面を有し、他の領域に表示面１０４ａに対して傾斜角θ１を持った第２面を有する。第１面には、操作部１０１の操作面１０１ａとして、ユーザが操作する押しボタン１０３やスライドスイッチ等が配置される。第２面には、接続部１０２の接続面１０２ａとして、外部機器のケーブル類１０７を接続するためのジャック類１０５が配置される。
【００３１】
このように、モニタ装置１０のフレーム１１１の前面側に、用途に合わせて平行な面（第１面）および角度の付いた面（第２面）を形成することにより、ユーザの操作性、視認性を高めつつ、モニタ装置１０に接続するインターフェースケーブル等のケーブル類１０７の破損を防ぐ事が可能となる。
【００３２】
更に、平行な面（第１面）と角度の付いた面（第２面）との繋ぐ面切替部１０６を、モニタ装置１０の表示部１０４の一辺における中央付近に配置することにより、衝突試験などに対し、フレーム１１１の強度を高めることができる。
【００３３】
（実施の形態２）
図６Ａは、実施の形態２に係るモニタ装置１１がシートの背もたれの背面２０１に設置された状態を示す図、図６Ｂは、図６Ａの６Ｂ−６Ｂ断面図、図６Ｃは、図６Ａの６Ｃ−６Ｃ断面図である。モニタ装置１１は、図６Ａに示すように、表示部１０４の下側の一辺に沿って操作部１０１および接続部１０２を備える。操作部１０１は、モニタ装置１１の下部中央部に配置され、その両側に接続部１０２が配置される。接続部１０２は操作部１０１の面切替部１０６を介して操作部１０１と接続されている。操作部１０１の両側にある２つの面切替部１０６は、表示部１０４の下辺を概ね３等分する位置に配置される。これにより、操作部１０１および接続部１０２を含むモニタ装置１１の筐体部の強度を高めることができる。
【００３４】
図６Ｂに示すモニタ装置１１の６Ｂ−６Ｂ断面図は、実施の形態１で説明した図５Ｂに示すモニタ装置１０の５Ｂ−５Ｂ断面図と同じである。モニタ装置１１は、図６Ｃに示すように、操作部１０１の背面側に切欠き１１９を有する。また、フレーム１１１の内部には、切欠き１１９から上方にリブ１１８が形成されている。切欠き１１９およびリブ１１８は操作面１０１ａ（表示面１０４ａ）と略平行に形成される。
【００３５】
また、操作部１０１の位置に対応するフレーム１１１の内部には、図６Ｃに示すように、操作面１０１ａの側から順に、電子回路基板１２３、緩衝材１３３およびリブ１１７が配置される。電子回路基板１２３には押しボタン１０３が電気的および機械的に接続され、電子回路基板１２３はモニタ装置１１の内部に配置される制御基板（不図示）と接続される。緩衝材１３３は電子回路基板１２３の背面側に配置され、電子回路基板１２５と切欠き１１９およびリブ１１８の間に介在する。緩衝材１３３は発泡材、ゴムなどで構成され、人がモニタ装置１１に接触した場合に電子回路基板１２３が破損することを防止する役割を有する。切欠き１１９およびリブ１１８は、緩衝材１３３を介して電子回路基板１２３を保持する役割を有する。
【００３６】
また、本実施の形態では、図６Ａおよび図６Ｃに示すように、シートの背もたれの背面２０１に形成される傾斜部２０２は、モニタ装置１１の下辺に配置された操作部１０１および接続部１０２の両方（即ち、下辺全体）に対応する部分に形成されている。なお、傾斜部２０２は、実施の形態１で説明したように、操作部１０１と対向する部分には形成することなく、接続部１０２に対向する部分のみに形成することもできる。
【００３７】
ユーザは、接続部１０２の裏側に位置する切欠き１１９に指を掛けることにより、容易にモニタ装置１１の角度を変更すことができる。即ち、切欠き１１９は、モニタ装置１１が配置される座席の背もたれの背面に対して、ユーザがモニタ装置１１の角度を容易に変更できるように設けられた取っ手部である。なお、切欠き１１９は、実施の形態１のモニタ装置１０において操作部１０１の裏側に設けてもよい。
【００３８】
（実施の形態３）
図７は、実施の形態３に係るモニタ装置１２の模式図である。モニタ装置１２は、図７に示すように、表示部１０４の右側の一辺に沿って操作部１０１および接続部１０２を備える。接続部１０２は操作部１０１の下部に配置される。これにより、接続部１０２のジャック類１０５に接続されたケーブル類１０７が、ユーザの操作部１０１に対する操作を阻害しない効果が奏される。その他の構成は、実施の形態１、２におけるモニタ装置１０、１１と同様であるので説明を省略する。
【００３９】
このように、操作部１０１と接続部１０２の位置は実施の形態１、２で示したようにモニタ装置の下部に限定されない。操作部１０１および接続部１０２は、表示部１０４の右側または左側の辺に沿って並んで配置されてもよいし、表示部１０４の上側の辺に沿って並んで配置されてもよい。
【００４０】
（他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。そこで、以下、他の実施の形態を例示する。
【００４１】
上記実施の形態１〜３では、操作部１０１の押しボタン１０３が配置される例を示したが、押しボタン１０３に限らず、例えば、スライドスイッチ、指や腕の近接により操作する近接センサなどを配置することもできる。この場合も、ユーザにとって視認性が高くアクセスしやすい、すなわち操作しやすい場所にボタン等を配置することが可能となる。
【００４２】
上記実施の形態１では、操作部１０１がモニタ装置１０の右下部に配置される例を示したが、操作部１０１を左下部に配置し、ジャック類１０５が配置された接続部１０２をモニタ装置１０の右下部に配置することもできる。
【００４３】
上記の実施の形態２では、モニタ装置１１の下部中央部に操作部１０１が配置され、その両側に接続部１０２が配置される例を示したが、下部中央部に接続部１０２を配置し、その両側に操作部１０１を配置してもよい。かかる構成により、接続部１０２の両側に位置する操作部１０１がガイドの役割を果たし、接続部１０２のジャック類１０５に接続されたケーブル類１０７の配線位置が規制されて、ユーザによるケーブル類１０７への接触が抑制される。
【００４４】
以上のように、本開示における技術の例示として、実施の形態を説明した。そのために、添付図面および詳細な説明を提供した。
【００４５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４６】
また、上述の実施の形態は、本開示における技術を例示するためのものであるから、特許請求の範囲またはその均等の範囲において種々の変更、置き換え、付加、省略などを行うことができる。
【産業上の利用可能性】
【００４７】
本開示は、モニタ装置、特に航空機等の乗物用座席に設置されるモニタ装置に適用可能である。
【符号の説明】
【００４８】
１０，１１，１２    モニタ装置
１０１    操作部
１０１ａ    操作面
１０２    接続部
１０２ａ    接続面
１０３    押しボタン
１０４    表示部
１０４ａ    表示面
１０５    ジャック類
１０６    面切替部
１０７    ケーブル類
１１１    フレーム
１１２    カバー
１１３    コネクタ
１１４    凹部
１１５    基板収納部
１１６    凸部
１１７，１１８    リブ
１１９    切欠き
１２３，１２５    電子回路基板
１３３，１３５    緩衝材
２０１    背もたれの背面
２０２    傾斜部
【図１】
2017185203.tif 000003
【図２】
2017185203.tif 000004
【図３】
2017185203.tif 000005
【図４】
2017185203.tif 000006
【図５Ａ】
2017185203.tif 000007
【図５Ｂ】
2017185203.tif 000008
【図５Ｃ】
2017185203.tif 000009
【図６Ａ】
2017185203.tif 000010
【図６Ｂ】
2017185203.tif 000011
【図６Ｃ】
2017185203.tif 000012
【図７】
2017185203.tif 000013